(57)【要約】【課題】カセッテを収容して搬送する際に、誤って落下させた場合でもカセッテを保護できるカセッテ収納袋を提供する。【解決手段】一辺が開口した四角形状とされ、開口８０Ａから内部に電子カセッテ１２を収容可能なカセッテ収納袋８０内の開口８０Ａと反対の端部に電子カセッテ１２の端部を挟んでカセッテ収納袋８０の端部に到達することを阻止する板バネ９０を設ける。【選択図】図４
2012048129.tif 000002
【特許請求の範囲】
【請求項１】
放射線を透過する材料により、一辺が開口した四角形状に形成され、開口から内部にカセッテを収容可能な袋体と、
前記袋体内の開口と反対の端部に少なくとも設けられ、衝撃を吸収する緩衝部材と、
を備えたカセッテ収容袋。
【請求項２】
前記緩衝部材を、カセッテの端部を挟んで、当該カセッテの端部が袋体の端部に到達することを阻止する板バネとした
請求項１記載のカセッテ収容袋。
【請求項３】
前記板バネは、中央が球状に湾曲し、当該球状に湾曲した湾曲部分とカセッテの端部を挟む両端部分との境界部分の幅がカセッテの幅よりも小さくなるように形成され、湾曲部分が袋体の端部側となるように配置された
請求項２記載のカセッテ収容袋。
【請求項４】
前記袋体は、開口と反対の端部領域が少なくとも導電性部材により形成された
請求項１〜請求項３の何れか１項記載のカセッテ収容袋。
【請求項５】
前記カセッテは、筐体の一部に導電性領域が形成され、
前記袋体は、前記カセッテを収容した際に筐体の導電性領域に対応する部分が導電性部材により形成された
請求項１〜請求項４の何れか１項記載のカセッテ収容袋。
【請求項６】
前記袋体は、導電性部材により形成された導電性領域の体積固有抵抗値が１０12Ω・ｃｍ以下である
請求項４又は請求項５記載のカセッテ収容袋。
【発明の詳細な説明】
【技術分野】
【０００１】
本発明は、カセッテ収容袋に係り、特に、放射線画像を撮影するカセッテを収容するカセッテ収容袋に関する。
【背景技術】
【０００２】
近年、ＴＦＴ（Thin Film Transistor）アクティブマトリクス基板上に放射線感応層を配置し、Ｘ線などの放射線を直接デジタルデータに変換できるＦＰＤ（Flat Panel Detector）等の放射線検出器が実用化されており、この放射線検出器を用いて、照射された放射線により表わされる放射線画像を示す画像データを生成し、生成した画像データを記憶する電子カセッテが実用化されている。
【０００３】
この電子カセッテは、可搬性を有するため、ストレッチャーやベッドに載せたまま患者を撮影することもでき、電子カセッテの位置を変更することにより撮影箇所を調整することができるため、動けない患者に対しても柔軟に対処することができる。
【０００４】
ところで、カセッテは、放射線画像の撮影を行う際に、汚染を防止するため、カセッテ収納袋内に収容して撮影を行う場合がある。
【０００５】
例えば、特許文献１には、外光を遮光すると共に放射線を透過する材料により袋体を形成したカセッテ収納袋が記載されている。
【０００６】
また、特許文献２には、袋体に無線通信用のアンテナを形成したカセッテ収納袋が記載されている。
【先行技術文献】
【特許文献】
【０００７】
【特許文献１】特開２０１０−７１７２６号公報
【特許文献２】特開２００９−４８１７１号公報
【発明の概要】
【発明が解決しようとする課題】
【０００８】
ところで、カセッテをこのようにカセッテ収納袋に収容して搬送する場合、一般的に、カセッテが袋体から出ないように、開口側を上にして搬送されるが、このような搬送中に誤って落下させた場合、袋体の開口と反対側の先端部側からカセッテに衝撃が加わり、カセッテが破損する場合がある。特に、電子カセッテに内蔵される放射線検出器は、ガラス基板上に回路が形成されており、衝撃によりガラス基板が割れる場合がある。
【０００９】
本発明は上記事実に鑑みてなされたものであり、カセッテを収容して搬送する際に、誤って落下させた場合でもカセッテを保護できるカセッテ収納袋を提供することを目的とする。
【課題を解決するための手段】
【００１０】
上記目的を達成するために、請求項１に記載のカセッテ収納袋は、放射線を透過する材料により、一辺が開口した四角形状に形成され、開口から内部にカセッテを収容可能な袋体と、前記袋体内の開口と反対の端部に少なくとも設けられ、衝撃を吸収する緩衝部材と、を備えている。
【００１１】
本発明によれば、袋体は、放射線を透過する材料により、一辺が開口した四角形状に形成されており、開口から内部にカセッテを収容可能とされている。そして、衝撃を吸収する緩衝部材が袋体内の開口と反対の端部に少なくとも設けられている。
【００１２】
このように、請求項１に記載の発明によれば、一辺が開口した四角形状とされ、開口から内部にカセッテを収容可能な袋体内の開口と反対の端部に衝撃を吸収する緩衝部材を設けているので、カセッテを収容して搬送する際に、誤って落下させた場合でもカセッテを保護できる。
【００１３】
なお、本発明は、請求項２記載の発明のように、前記緩衝部材を、カセッテの端部を挟んで、当該カセッテの端部が袋体の端部に到達することを阻止する板バネとしてもよい。
【００１４】
また、請求項２記載の発明は、請求項３記載の発明のように、前記板バネが、中央が球状に湾曲し、当該球状に湾曲した湾曲部分とカセッテの端部を挟む両端部分との境界部分の幅がカセッテの幅よりも小さくなるように形成され、湾曲部分が袋体の端部側となるように配置されてもよい。
【００１５】
また、本発明は、請求項４記載の発明のように、前記袋体は、開口と反対の端部領域が少なくとも導電性部材により形成されることが好ましい。
【００１６】
また、本発明は、請求項５記載の発明のように、前記カセッテが、筐体の一部に導電性領域が形成され、前記袋体が、前記カセッテを収容した際に筐体の導電性領域に対応する部分が導電性部材により形成されてもよい。
【００１７】
また、請求項４又は請求項５記載の発明は、請求項６記載の発明のように、前記袋体は、導電性部材により形成された導電性領域の体積固有抵抗値が１０12Ω・ｃｍ以下であることが好ましい。
【発明の効果】
【００１８】
本発明によれば、カセッテを収容して搬送する際に、誤って落下させた場合でもカセッテを保護できる、という効果が得られる。
【図面の簡単な説明】
【００１９】
【図１】実施の形態に係る放射線撮影システムの構成を示す斜視図である。
【図２】実施の形態に係る電子カセッテの構成を示す透過斜視図である。
【図３】実施の形態に係るカセッテ収納袋を示す斜視図である。
【図４】実施の形態に係る板バネの配置構成を示す透過斜視図である。
【図５】実施の形態に係る板バネの構成を示す断面図である。
【図６】他の形態に係る板バネの構成を示す図である。
【図７】他の形態に係るカセッテ収納袋の導電性部材により形成する端部領域を示す図である。
【発明を実施するための形態】
【００２０】
以下、図面を参照して、本発明を実施するための形態について詳細に説明する。なお、ここでは、本発明を、電子カセッテを用いて放射線画像の撮影を行う放射線撮影システムに適用した場合の形態例について説明する。
【００２１】
図１には、本実施の形態に係る放射線撮影システム１０を示す斜視図が示されている。
【００２２】
放射線撮影システム１０は、可搬性を有し、照射された放射線により表わされる放射線画像を示す画像情報を生成する電子カセッテ１２と、電子カセッテ１２を収容する収容部１４が設けられ、臥位での放射線撮影を行う際に患者が横臥するための臥位撮影台１６と、を備えている。
【００２３】
電子カセッテ１２は、臥位撮影台１６の収容部１４に収容されることにより、放射線を発生する放射線発生装置３４と間隔を空けて配置される。このときの放射線発生装置３４と電子カセッテ１２との間は、患者が位置するための撮影位置とされている。放射線発生装置３４は、放射線画像の撮影が指示されると、予め与えられた撮影条件等に応じた放射線量の放射線Ｘを照射する。放射線発生装置３４から射出された放射線Ｘは、撮影位置に位置している患者を透過することで画像情報を担持した後に電子カセッテ１２に照射される。
【００２４】
なお、電子カセッテ１２は、臥位撮影台１６の収容部１４で保持された状態のみで使用されるものではなく、その可搬性から、収容部１４に収容せず、臥位撮影台１６上に配置した状態で使用することもできる。
【００２５】
図２には、本実施の形態に係る電子カセッテ１２の内部構成を示す透過斜視図が示されている。
【００２６】
電子カセッテ１２は、放射線Ｘを透過させる材料から成り厚みを有する平板状の筐体２０によって覆われている。
【００２７】
筐体２０の内部には、筐体２０のうち放射線Ｘが照射される照射面２２側から順に、患者を透過することに伴って生ずる放射線Ｘの散乱線を除去するグリッド２４、放射線Ｘを検出する放射線検出器２６、及び、放射線Ｘのバック散乱線を吸収する鉛板２８が配設されている。なお、筐体２０の照射面２２をグリッド２４で構成してもよい。また、放射線検出器２６は、例えば、放射線Ｘを直接、セレンを主成分（例えば含有率５０％以上）とする非晶質のアモルファスセレン（ａ−Ｓｅ）から成る半導体層で電荷に変換して蓄積する直接変換方式のものでもよく、放射線Ｘを一度ガドリニウム硫酸化物（ＧＯＳ）やヨウ化セシウム（ＣｓＩ）などのシンチレータで光に変換し、変換した光を電変換素子（フォトダイオード）で電荷に変換して蓄積する間接変換方式のものであってもよい。
【００２８】
また、筐体２０の内部の一端側には、マイクロコンピュータを含む電子回路及び充電可能な二次電池を収容するケース３０が配置されている。放射線検出器２６及び電子回路は、ケース３０に配置された二次電池から供給される電力によって作動する。ケース３０内部に収容された各種回路が放射線Ｘの照射に伴って損傷することを回避するため、ケース３０の照射面２２側には鉛板等を配設しておくことが望ましい。
【００２９】
ところで、電子カセッテ１２は、放射線画像の撮影を行う際に、汚染を防止するため、汚染防止用のカセッテ収納袋内に収容して撮影を行う場合がある。
【００３０】
図３には、本実施の形態に係るカセッテ収納袋８０を示す斜視図が示されている。
【００３１】
カセッテ収納袋８０は、袋体本体８２が一辺が開口した四角形状に形成され、開口８０Ａから内部に電子カセッテ１２を収容可能とされている。袋体本体８２は、放射線を透過する導電性部材により形成されている。この袋体本体８２の材料としては、界面活性剤など添加剤を用いたポリエチレンや導電性カーボンを練り込んたポリエチレン等の樹脂材料、アルミニウムをラミネートしたフィルムなどが挙げられるがこれに限定されるものではない。この袋体本体８２は、体積固有抵抗値が１０12Ω・ｃｍ以下であればよく、導体（体積固有抵抗値が０Ω・ｃｍ）も含まれる。好ましくは１０11Ω・ｃｍ以下、より好ましくは１０10Ω・ｃｍ以下の材料により形成する。
【００３２】
図４に示すように、本実施の形態に係るカセッテ収納袋８０内には、開口８０Ａと反対側の辺に沿って、板バネ９０が並んで配置されている。
【００３３】
板バネ９０は、導電性の金属により形成され、中央部分で湾曲している。板バネ９０は、端部分９２Ａ、９２Ｂで電子カセッテ１２の端部を挟み込むことにより、電子カセッテ１２の端部がカセッテ収納袋８０の端まで到達することを阻止している。
【００３４】
本実施の形態に係る板バネ９０は、図５に示すように、湾曲部９４が球状に湾曲すると共に、端部分９２Ａ、９２Ｂと湾曲部９４との境界部分の幅Ｔ１が電子カセッテ１２の幅Ｔ２よりも狭く形成されている。また、板バネ９０は、端部分９２Ａ、９２Ｂの対向する位置に内側に凸した凸部９６Ａ、９６Ｂが設けられており、この凸部９６Ａ、９６Ｂにおいても電子カセッテ１２を挟むように形成されている。
【００３５】
次に、本実施の形態に係る放射線撮影システム１０の作用について説明する。
【００３６】
撮影者は、電子カセッテ１２の汚染を防止して放射線画像の撮影を行う場合、電子カセッテ１２を開口８０Ａからカセッテ収納袋８０内に収容する。
【００３７】
撮影者は、このようにカセッテ収納袋８０に収容された電子カセッテ１２を搬送する場合、一般的に、電子カセッテ１２をがカセッテ収納袋８０から出ないように、開口８０Ａ側を上にして搬送する。
【００３８】
カセッテ収納袋８０に収容された電子カセッテ１２は、開口８０Ａ側が上とされた場合、カセッテ収納袋８０内で開口８０Ａと反対側の端部へ移動し、電子カセッテ１２の端部が板バネ９０の端部分９２Ａ、９２Ｂで挟まれる。特に、本実施の形態では、図５に示すように、板バネ９０の端部分９２Ａ、９２Ｂと湾曲部９４との境界部分の幅Ｔ１を電子カセッテ１２の幅Ｔ２よりも狭く形成している。これにより、電子カセッテ１２が板バネ９０の湾曲部９４側へ挿入されるほど端部分９２Ａ、９２Ｂで強く挟まれるため、電子カセッテ１２の端部がカセッテ収納袋８０の端部に到達することが阻止される。
【００３９】
このようにカセッテ収納袋８０は、電子カセッテ１２がカセッテ収納袋８０の端まで到達することが阻止されることにより、カセッテ収納袋８０に電子カセッテ１２を収容して搬送する際に、誤って落下させた場合でも落下の衝撃が電子カセッテ１２の端部に直接加わないため、電子カセッテ１２を保護できる。
【００４０】
また、本実施の形態では、板バネ９０を湾曲部９４を球状に湾曲させている。これにより、落下の衝撃が湾曲部９４で吸収されて電子カセッテ１２に加わる衝撃が緩和される。
【００４１】
また、電子カセッテ１２は、撮影者の衣服や患者の衣服、べッド上にシーツ・毛布等で擦れたことにより帯電する場合がある。
【００４２】
このように電子カセッテ１２が帯電した場合でも、カセッテ収納袋８０の袋体本体８２を導電性部材により形成し、また、板バネ９０も導電性の金属により形成しているため、カセッテ収納袋８０を介して電荷を放電できる。
【００４３】
以上のように本実施の形態によれば、一辺が開口した四角形状とされ、開口８０Ａから内部に電子カセッテ１２を収容可能なカセッテ収納袋８０内の開口８０Ａと反対の端部に
電子カセッテ１２の端部を挟んでカセッテ収納袋８０の端部に到達することを阻止する板バネ９０を設けているので、カセッテ収納袋８０に電子カセッテ１２を収容して搬送する際に、誤って落下させた場合でも電子カセッテ１２を保護できる。
【００４４】
また、本実施の形態によれば、カセッテ収納袋８０の袋体本体８２を導電性部材により形成しているため、電子カセッテ１２が帯電した場合でもカセッテ収納袋８０を介して電荷を放電できる。
【００４５】
以上、本発明を上記実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００４６】
例えば、上記実施の形態では、板バネ９０の湾曲部９４を球状に湾曲させ、端部分９２Ａ、９２Ｂに凸部９６Ａ、９６Ｂを設けた場合について説明したが、本発明はこれに限定されるものではない。例えば、板バネ９０を、図６に示すように、中央部分で単純に屈曲したＶ状のものとしてもよい
また、上記実施の形態では、衝撃を吸収する緩衝部材として板バネ９０を設けた場合について説明したが、本発明はこれに限定されるものではない。例えば、ゴムや弾力性のある樹脂材料、気泡緩衝材など緩衝を緩衝できればいずれでもよい。なお、電子カセッテ１２の帯電によるサージを防止する場合、緩衝部材は導電性を有することが好ましい。
【００４７】
また、上記実施の形態では、袋体本体８２全体を導電性部材により形成した場合について説明したが、本発明はこれに限定されるものではない。例えば、図７に示すように袋体本体８２の開口８０Ａと反対の端部領域８８のみを導電性部材により形成するものとしてもよい。これにより、電子カセッテ１２が帯電した場合でも、カセッテ収納袋８０の端部領域８８を介して電荷を放電できる。
【００４８】
また、電子カセッテ１２は筐体２０の一部に導電性領域が形成されているものとした場合、カセッテ収納袋８０は、当該電子カセッテ１２を収容した際に筐体２０の導電性領域に対応する部分を導電性部材により形成するものとしてもよい。これにより、電子カセッテ１２が帯電した場合でも、カセッテ収納袋８０の導電性領域を介して電荷を放電できる。
【００４９】
また、上記実施の形態では、カセッテ収納袋８０内の開口８０Ａと反対側の辺に沿って緩衝部材として板バネ９０を配置した場合について説明したが、本発明はこれに限定されるものではない。例えば、開口８０Ａ以外の他の２辺にも緩衝部材を設けてもよい。これにより、他の２辺についても衝撃が電子カセッテ１２の端部に直接加わないため、電子カセッテ１２を保護できる。
【００５０】
また、上記実施の形態では、カセッテ収納袋８０は放射線検出器２６を内蔵し、照射された放射線により表わされる放射線画像を示す画像データを生成する電子カセッテ１２を収容するものとした場合について説明したが、本発明はこれに限定されるものではない。例えば、カセッテ収納袋８０はイメージングプレートや放射線フイルムを収容したカセッテを収容してもよい。
【００５１】
また、上記実施の形態では、電子カセッテ１２は放射線としてＸ線を検出する場合について説明したが、本発明はこれに限定されるものではない。例えば、検出対象とする放射線は、Ｘ線の他、ガンマ線、粒子線等いずれであってもよい。
【００５２】
その他、上記実施の形態で説明した構成は一例であり、本発明の主旨を逸脱しない範囲内において、不要な部分を削除したり、新たな部分を追加したり、接続状態等を変更したりすることができることは言うまでもない。
【符号の説明】
【００５３】
１２    電子カセッテ（カセッテ）
８０    カセッテ収納袋
８０Ａ  開口
８２    袋体本体
８８    端部領域
９０    板バネ（緩衝部材）
【図１】
2012048129.tif 000003
【図２】
2012048129.tif 000004
【図３】
2012048129.tif 000005
【図４】
2012048129.tif 000006
【図５】
2012048129.tif 000007
【図６】
2012048129.tif 000008
【図７】
2012048129.tif 000009